(57)【特許請求の範囲】
【請求項１】
歩行者が身につけて歩行したとき、１歩歩くごとに、検出パルスを出力する歩数計メカ部と、
歩行者の音声をボイスレコーダ入力データに変換して出力する音声入力手段と、
歩行者の操作により特定の機能を用いることの指示入力データを入力する操作ボタンと、
音声データ記憶領域と歩数データ記憶領域とを有する半導体メモリ部と、
ＣＰＵ、ＲＯＭ及びＲＡＭを内蔵し、上記歩数計メカ部の上記検出パルスを計数して当該計数値データを上記半導体メモリ部の上記歩数データ記憶領域に記憶させる歩数値計数動作モードと、上記音声入力手段の上記ボイスレコーダ入力データを上記半導体メモリ部の上記音声データ記憶領域に記憶させるボイスレコーダ入力記憶動作モードとに上記半導体メモリ部を切換制御するマイクロプロセッサと
を有し、上記マイクロプロセッサは、
上記操作ボタンによって上記歩数の計数が指示されたとき、上記歩数値計数動作モードに切換制御することにより、上記半導体メモリ部に上記計数値を記憶させ、
かつ上記歩数値計数動作モード時に、上記操作ボタンによって上記ボイスレコーダ入力記憶動作モードが指示されたとき、上記半導体メモリ部の上記歩数データ記憶領域に対する上記計数値データの記憶動作を中断してその後の上記計数値データを内蔵する上記ＲＡＭに記憶保存し、
その後上記操作ボタンによる上記ボイスレコーダ入力記憶動作モードの指示が解除されたとき、上記ＲＡＭに記憶保存した上記計数値データを上記半導体メモリ部の上記歩数データ記憶領域に記憶補充させる
ことを特徴とする歩数計。
【請求項２】
上記マイクロコンピュータは、上記操作ボタンによって上記半導体メモリ部の上記歩数データ記憶領域に記憶されている上記計数値データを表示する指示が与えられたとき、当該計数値データでなる歩数情報を上記指示に対応する表示態様で、ディスプレイに表示させる
ことを特徴とする請求項１に記載の歩数計。
【請求項３】
上記マイクロコンピュータは、上記操作ボタンによって上記半導体メモリの上記音声データ記憶領域に記憶されている上記ボイスレコーダ入力データを再生する指示が与えられたとき、当該ボイスレコーダ入力データでなる音声メモ情報を音声出力手段から放出させる
ことを特徴とする請求項１に記載の歩数計。
【請求項４】
上記マイクロコンピュータは、外部機器と接続するインターフェース部に接続され、当該インターフェース部を介して、上記外部機器と上記半導体メモリ部との間の音声入力データの授受動作をする
ことを特徴とする請求項１に記載の歩数計。
【発明の詳細な説明】
【０００１】
【発明の属する技術分野】
本発明は、音声記憶機能と歩数計機能を設けた歩数計に関する。
【０００２】
【従来の技術】
従来より、歩行者の歩数を計数し、その計数値を適宜表示するようにした電子歩数計（いわゆる万歩計）が各種提供されている。
例えば、特開平５−３３２７８３号公報においては、毎日の歩行数を自動的にメモリに記憶する歩数計が提案されている。
【０００３】
【発明が解決しようとする課題】
ところで、例えば野外で散歩をしている時に、なにかメモをとりたくなった場合でも、予めメモ帳や筆記具を用意したり、テープレコーダを携帯していないために、即座にメモをとることができない場合がある。
一方、歩数計は、１日の歩数を測定するものであるため、１日中携帯している場合が多く、メモ帳やテープレコーダの携帯を忘れた場合でも、歩数計だけは携帯していることが多い。
【０００４】
また、歩数計に限らず、多機能の携帯型複合装置を想定した場合、個別の機能を有する携帯型装置に比較して、多機能であるだけに利用率が高く、常時携帯するような利用形態をとることも可能である。
【０００５】
そこで本発明の目的は、常時携帯してボイスレコーダとして用いるのに便利な歩数計及び携帯型複合装置を提供することにある。
【０００６】
【課題を解決するための手段】
かかる課題を解決するため本発明においては、歩行者が身につけて歩行したとき、１歩歩くごとに、検出パルスを出力する歩数計メカ部と、歩行者の音声をボイスレコーダ入力データに変換して出力する音声入力手段と、歩行者の操作により特定の機能を用いることの指示入力データを入力する操作ボタンと、音声データ記憶領域と歩数データ記憶領域とを有する半導体メモリ部と、ＣＰＵ、ＲＯＭ及びＲＡＭを内蔵し、歩数計メカ部の検出パルスを計数して当該計数値データを半導体メモリ部の歩数データ記憶領域に記憶させる歩数値計数動作モードと、音声入力手段のボイスレコーダ入力データを半導体メモリ部の音声データ記憶領域に記憶させるボイスレコーダ入力記憶動作モードとに半導体メモリ部を切換制御するマイクロプロセッサとを有し、マイクロプロセッサは、操作ボタンによって歩数の計数が指示されたとき、上記歩数値計数動作モードに切換制御することにより、半導体メモリ部に計数値を記憶させ、かつ歩数値計数動作モード時に、操作ボタンによってボイスレコーダ入力記憶動作モードが指示されたとき、半導体メモリ部の歩数データ記憶領域に対する計数値データの記憶動作を中断してその後の計数値データを内蔵するＲＡＭに記憶保存し、その後操作ボタンによるボイスレコーダ入力記憶動作モードの指示が解除されたとき、ＲＡＭに記憶保存した計数値データを半導体メモリ部の歩数データ記憶領域に記憶補充させるようにする。
【０００９】
【発明の実施の形態】
以下、本発明による歩数計及び携帯型複合装置の実施の形態について図面を参照して説明する。
図１は、本発明の実施の形態による歩数計の構成を示すブロック図である。
本例の歩数計１０は、マイコン２０と、歩数計メカ部３０と、マイク４０と、操作ボタン５０と、液晶ディスプレイ６０と、スピーカ７０と、フラッシュメモリ８０と、パーソナルコンピュータ（外部装置）９０とのインタフェース部１００とを有する。
【００１０】
マイコン（マイクロプロセッサ）２０は、この歩数計１０全体を制御するものであり、ＣＰＵ、ＲＯＭ、ＲＡＭ等を内蔵したものである。
歩数計メカ部３０は、歩行者の歩数を計数するための歩数検知データをマイコン２０に出力するものである。歩数計メカ部３０の詳細については図２及び図３に基づき後述する。
マイク４０は、音声を入力し、そのアナログ音声信号をアンプ４２及びＡ／Ｄコンバータ４４を介してデジタル音声データに変換し、マイコン２０に入力するものである。
【００１１】
操作ボタン５０は、この歩数計１０に対して各種入力を行うものであり、例えばボイスレコーダ機能を用いることを指示する際に操作するためのキーが設けられている。
液晶ディスプレイ６０は、この歩数計１０から利用者に対して各種表示を行うものであり、例えば歩数データを表示する。
スピーカ７０は、音声出力を行うものであり、マイコン２０より出力されたデジタル音声データをＤ／Ａコンバータ７２及びアンプ７４を介して出力されるアナログ音声信号を出力する。
【００１２】
フラッシュメモリ８０は、各種データを記憶するＩＣメモリの一例であり、特に本例では、音声データを記憶する領域と、歩数データを記憶する領域とを含むものである。
インタフェース部１００は、パーソナルコンピュータ９０からの信号線ケーブルを着脱自在に接続し、マイコン２０がパーソナルコンピュータ９０との双方向通信を行うためのものである。すなわち、歩数計１０を携帯する際には、パーソナルコンピュータ９０からの信号線ケーブルを外して歩数計１０を携帯するようになっている。
【００１３】
マイコン２０は、フラッシュメモリ８０に対するデータの記憶を制御する記憶手段の機能を含み、操作ボタン５０の操作によってボイスレコーダ機能が選択された場合、自動的に音声データ用の記憶領域にアクセスを切り換え、マイク４０から入力された音声を音声データ用の記憶領域に記憶する。
また、操作ボタン５０の操作によってボイスレコーダの再生機能が選択された場合にも、自動的に音声データ用の記憶領域にアクセスを切り換え、この記憶領域から音声データを読み出し、スピーカ７０より出力する。
【００１４】
また、インタフェース部１００を介してパーソナルコンピュータ９０から音声データの読み出しを指示する命令が入力された場合にも、マイコン２０は自動的に音声データ用の記憶領域にアクセスを切り換え、この記憶領域から音声データを読み出し、インタフェース部１００を介してパーソナルコンピュータ９０に転送する。パーソナルコンピュータ９０では、歩数計１０から入力した音声データをスピーカより出力することができる。
【００１５】
また、マイコン２０は、通常の歩数計としての使用時において、フラッシュメモリ８０の歩数データ記憶領域にアクセスする状態に設定されており、歩数計メカ部３０からの歩数検知データを入力し、歩数を計数する。そして、一定間隔毎に歩数値の更新データをフラッシュメモリ８０の歩数データ記憶領域にアクセスして記憶する。
また、操作ボタン５０の操作によって歩数の表示が選択されると、マイコン２０は、フラッシュメモリ８０の歩数データ記憶領域にアクセスし、ここに記憶されている歩数データを読み出して液晶ディスプレイ６０に表示する。
【００１６】
なお、マイコン２０は、ボイスレコーダ機能が選択された場合、自動的に音声データの記憶に切り換え、フラッシュメモリ８０への歩数データの記憶は行わないことになるが、歩数データの計数自体は、マイコン２０内で行い、マイコン２０内のＲＡＭ等に歩数データを保存しておき、ボイスレコーダ機能が非選択になった時点で、この歩数データを適宜フラッシュメモリ８０に記憶させるものとする。
また、マイコン２０は、以上のような歩数計機能とボイスレコーダ機能だけでなく、毎日の歩数の管理を行うためのカレンダ機能等を有する。
【００１７】
次に、図２（Ａ）（Ｂ）は、歩数計メカ部３０の構造と動作を示す概略構成図であり、図３は、歩数計メカ部３０のセンサ部の構造を拡大して示す構成図である。
この歩数計メカ部３０は、支軸１１０を中心に回転する回転体１１１と、支軸１１０と回転体１１１に固定された弾性体１１２と、スイッチ１１３と、回転体１１１の動きを制御するストッパ１１４、１１５とを有している。
回転体１１１の先端には、磁石１１７が取り付けてある。支軸１１０は、支点１１８を中心に回転させることができ、支軸１１０に固定された弾性体１１２が回転体１１１に及ぼす力を調整できる。
【００１８】
また、この歩数計１０を正しく身に付けた状態では、矢印１１６の方向が上下（垂直）方向になるものとする。
そして、静穏時には、矢印１１６の方向が上下方向にあるとき、回転体１１１は、図２（Ａ）に示す位置にあるよう、弾性体１１２の強度が支軸１１０により調整されている。
また、この歩数計１０を歩行者の骨盤付近に正しく身に付けて歩いた場合、足を地面に踏み降ろした瞬間に、歩数計１０全体に上向きの加速度が働くが、回転体１１１は慣性のために、図２（Ｂ）に示す位置まで移動し、ストッパ１１５によって回転を止められ、弾性体１１２によって図２（Ａ）に示す位置まで押し戻され、ストッパ１１４によって回転を止められる。つまり、一歩歩く毎に、これらの一連の動作により、回転体１１１の先端に設けられた磁石１１７は１回ずつスイッチ１１３に近づくことになる。
【００１９】
スイッチ１１３の内部は、図３に示すように、２枚の反磁性の金属片１１９、１２０が接近して配置されている。そこへ、磁石１１７が近づくと、金属片１１９、１２０は、図３に示すＳとＮの方向に帯磁し、その先端が磁力によって互いに引き合う。このため、２枚の金属片１１９、１２０が接してスイッチ１１３はオンになる。
したがって、図２に示すように、電源＋Ｖと抵抗Ｒの間にスイッチ１１３を挿入し、スイッチ１１３と抵抗Ｒの接続点より検出出力を得るようにした回路を構成することにより、スイッチ１１３に磁石１１７が近づく度にスイッチ１１３がオンになり、出力端子１２１からＨｉｇｈパルスが出力される。
以上のようにして得られたＨｉｇｈパルスは、操作ボタン５０の操作によって歩数の計数が指示された場合に、マイコン２０によってカウントされ、そのデータは一定時間毎にフラッシュメモリ８０に時刻データとともに書き込まれる。
【００２０】
なお、フラッシュメモリ８０に記憶された歩数データは、操作ボタン５０からの特定の操作により、ある時刻からある時刻までに歩いた歩数のデータとして、液晶ディスプレイ６０に表示することも可能である。
あるいは、横軸に時刻をとり、縦軸に歩いた歩数をとったグラフとして表示するような方法も可能である。
また、このような時刻データに対応して記憶された歩数データを上述のようにフラッシュメモリ８０からインタフェース部１００を介してパーソナルコンピュータ９０に送り、この歩数データをさらに詳しく解析し、時間毎に平均歩数等を算出する等の処理を行うことも可能である。
【００２１】
また、反対にパーソナルコンピュータ９０側でユーザに対応した歩数のデータを管理することにより、パーソナルコンピュータ９０から歩数計１０側に目標歩数データを送り、この目標歩数を液晶ディスプレイ６０の表示等に反映させ、例えば目標に達しない場合に、警告表示を行うようなことも可能である。
また、パーソナルコンピュータ９０からフラッシュメモリ８０に好みの音楽の情報を転送し、これをスピーカ７０で再生することにより、音楽を聴きながら散歩するような使い方も可能である。
【００２２】
以上の形態は、ボイスレコーダ機能を有する歩数計について説明したが、本発明は、単にボイスレコーダ機能と歩数計機能とを組み合わせた構成に限定されず、さらに多機能を有する携帯型複合装置として構成することも可能である。
例えば、無線呼出を受信するペイジャ機能、無線によって各種のデータを受信するデータ受信機能、現在時刻を表示する時計機能、設定時刻を通知するアラーム機能を設けた携帯型複合装置に、上述した図１〜図３に示す機能を組み合わせるようにしてもよい。
【００２３】
あるいは、個人のＩＤ情報等を発振する移動局としてのデータキャリア機能を設け、管理局との間で無線通信を行うことにより、入退室システム等のように、個人の所在を管理するようなシステムに適用することも可能である。
あるいは、ＧＳＰ（グローバルポジショニングシステム）と地図情報との組み合わせにより、地図上の現在位置を表示するようなナビゲーション機能を設け、例えば散歩コースやジョギングコース上の道案内を行うようなシステムとしてもよい。
【００２４】
あるいは、ラジオ放送等を受信して再生する機能や、音楽を記憶した媒体を装着して再生する機能、さらには、携帯電話機能、デジタルカメラ機能を設けたものであってもよい。
このような携帯型複合装置と、上述した図１〜図３に示す機能を組み合わせることにより、極めて便利な多機能装置を得ることができる。
また、このような多くの機能を１つの携帯装置に集約することで、多数の携帯装置を携帯する不便さが解消できる利点もある。
【００２５】
【発明の効果】
上述のように本発明によれば、ボイスレコーダ入力記憶動作モードが指定されたとき、半導体メモリ部の歩数データ記憶領域に対する計数値データの記憶動作を中断して、その後得られる計数値データをマイクロプロセッサに内蔵されるＲＡＭに記憶保存し、その後、ボイスレコーダ入力記憶動作モードの指示が解除されたとき、ＲＡＭに記憶保存した計数値データを半導体メモリの歩数データ記憶領域に記憶補充させるようにしたことにより、特別にメモリ構造を大規模にすることなく、本来の歩数の計数・表示動作に加えて、ボイスレコーダの記憶・表示動作を実現した歩数計を実現できる。
【図面の簡単な説明】
【図１】本発明の実施の形態による歩数計の回路構成を示すブロック図である。
【図２】図１に示す歩数計のメカ部の構造と動作を示す概略構成図である。
【図３】図１に示す歩数計のメカ部のセンサ部の構造を拡大して示す構成図である。
【符号の説明】
１０……歩数計、２０……マイコン、３０……歩数計メカ部、４０……マイク、５０……操作ボタン、６０……液晶ディスプレイ、７０……スピーカ、８０……フラッシュメモリ、９０……パーソナルコンピュータ、１００……インタフェース部。
【図１】
0004228253.tif 000002
【図２】
0004228253.tif 000003
【図３】
0004228253.tif 000004